(57)【特許請求の範囲】
【請求項１】
光信号を発光あるいは受光する受発光面を有する光半導体、および前記光半導体に接続され、回路基板との間で一対の差動信号を送受信する回路部を有する本体部と、
前記本体部から導出され、前記回路基板に一部が実装され、前記受発光面側の第１列および前記受発光面と反対側の第２列に配置された複数のリードとを備え、
前記複数のリードは、前記一対の差動信号を伝送する一対の差動信号用リードを有し、
前記一対の差動信号用リードは、前記第１列又は前記第２列に隣接して配置され、かつ、前記回路基板に実装される実装部と、前記回路基板に実装されない非実装部とを含み、前記非実装部のピッチが、前記実装部のピッチよりも狭いことを特徴とする光モジュール。
【請求項２】
前記光半導体および前記回路部は、前記本体部に設けられ、前記複数のリードのうちアース用リードに電気的に接続されたリードフレーム上に搭載され、
前記リードフレームは、前記本体部の前記受発光面が位置する表面側または裏面側に前記光半導体および前記回路部をシールドする第２のリードフレームが延在して配置されていることを特徴とする請求項１に記載の光モジュール。
【請求項３】
前記第２のリードフレームは、前記本体部の前記表面側に延在して配置され、前記受発光面に対応する開口を有することを特徴とする請求項２に記載の光モジュール。
【請求項４】
前記複数のリードは、千鳥状に配置されてなることを特徴とする請求項１に記載の光モジュール。
【請求項５】
前記複数のリードは、一部のリードが折曲形成されることにより前記第１列および前記第２列に配列されることを特徴とする請求項１に記載の光モジュール。
【請求項６】
前記複数のリードは、前記一対の差動信号用リード間に対応する、該一対の差動信号用リードを含む列とは異なる列のリード配置部分が間欠している配置であることを特徴とする請求項４に記載の光モジュール。
【請求項７】
前記複数のリードは、互いに逆方向に折曲形成されることにより前記第１列および前記第２列に配列されていることを特徴とする請求項１に記載の光モジュール。
【請求項８】
一対の差動信号が印加される一対の差動信号用導電パターンを有する回路基板と、
光信号を発光あるいは受光する受発光面を有する光半導体、および前記光半導体に接続され、前記回路基板との間で一対の差動信号を送受信する回路部を有する本体部と、前記本体部から導出され、前記回路基板に一部が実装され、前記受発光面側の第１列および前記受発光面と反対側の第２列に配置された複数のリードとを有する光モジュールとを備え、
前記複数のリードは、前記一対の差動信号を伝送する一対の差動信号用リードを有し、
前記一対の差動信号用リードは、前記第１列又は前記第２列に隣接して配置され、かつ、前記回路基板に実装される実装部と、前記回路基板に実装されない非実装部とを含み、前記非実装部のピッチが、前記実装部のピッチよりも狭いことを特徴とする光伝送装置。
【請求項９】
前記複数のリードは、前記回路基板に貫通実装されたことを特徴とする請求項８に記載の光伝送装置。
【請求項１０】
前記複数のリードは、前記回路基板の厚み相当のピッチを有して前記第１列および前記第２列に配列され、前記回路基板に表面実装されたことを特徴とする請求項８に記載の光伝送装置。
【発明の詳細な説明】
【技術分野】
【０００１】
本発明は、光モジュールおよび光伝送装置に関し、特に、正負の差動信号に基づいて光信号を発光し、あるいは受光した光信号を正負の差動信号に変換する光モジュールおよび光伝送装置に関する。
【背景技術】
【０００２】
光通信においては、例えば、発光素子や受光素子などの光半導体を備えた低コストの光モジュールや、これを用いた光伝送装置が用いられている。この種の光伝送装置として、リードフレーム上に光半導体などの実装および封止を行い、複数のリードを同列に引き出した構成にし、回路基板に貫通実装できるようにしたものが知られている（例えば、特許文献１，２参照。）。
【０００３】
図９は、従来の光モジュールを示す。同図中、（ａ）は正面図、（ｂ）は側面図、（ｃ）は底面図である。この光モジュールは、リードが一列に引き出されたＳＩＰ（Single In-line Package）型の構成を有する。
【０００４】
この光モジュール１００は、リードフレームに搭載された光半導体および駆動ＩＣ（いずれも図示せず）を樹脂パッケージで封止した構造の本体部１０１と、図９の（ａ）に示すように、この本体部１０１の１辺から一列になるように引き出された複数のリード１０２とを備える。
【０００５】
複数のリード１０２は、同一形状および長さを有し、図９の（ａ），（ｃ）に示すように、一定間隔に整列して配置されている。光モジュール１００を回路基板に貫通実装する場合、回路基板側は、リード１０２の外形寸法よりやや大きい直径のスルーホール１０３をそれぞれのリード１０２のために確保している。このため、リード１０２のピッチｐは、スルーホール１０３の直径に対して、その逃げを含む直径ｄよりも大きい値にする必要がある。つまり、リード１０２のピッチｐは、スルーホール１０３のサイズによって制限され、或る間隔以下にすることはできない。なお、同図は、スルーホール１０３を確保できない例を示している。
【０００６】
近年、光モジュールは、小型化および高性能化が要求されており、リードのピッチを小さくし、多数のリードを引き出せるようにしたものが望まれている。しかし、上記したように、ＳＩＰ型の光モジュールは、スルーホール１０３を考慮する必要があるため、リード１０２のピッチを狭めることが難しい。この問題を解決するものとしてＺＩＰ（Zigzag In-line Package）型の構成の光モジュールがある。
【０００７】
図１０は、そのＺＩＰ型の従来の光モジュールを示す。同図中、（ａ）は正面図、（ｂ）は断面図、（ｃ）は底面図である。
【０００８】
この光モジュール２００は、複数のリードをジグザグに配列したＺＩＰ型と呼ばれるものであり、図１０の（ａ），（ｂ）に示すように、レーザダイオード等の発光素子２０２と、発光素子２０２を駆動する駆動ＩＣ２０３と、発光素子２０２及び駆動ＩＣ２０３が搭載されたリードフレーム２０４と、差動信号用のリード２０１Ａ（−），２０１Ｂ（＋）を含む複数のリード２０１Ａ，２０１Ｂと、複数のリード２０１Ａ，２０１Ｂ以外の部分を封止する透明絶縁材による封止部材２０５と、駆動ＩＣ２０３の差動信号入力端子とリード２０１Ａ（−），２０１Ｂ（＋）の端部とを接続するボンディングワイヤ２０６とを備える。
【０００９】
この光モジュール２００は、リード２０１Ａ，２０１Ｂが２列になっているため、図９に示すようなリードが１列の光モジュール１００に比べて、リードのピッチｐを小さくすることができる。また、リードが２列になっているため、光モジュール２００を回路基板に実装するときに、光モジュール２００を回路基板に対して倒れにくくすることができる。
【００１０】
近年、光モジュールの小型化および高性能化（高速化）の要求は、低コストの製品にも及んでいる。この高速化の１つの手段として、変調用の信号を差動回路に印加して、互いに逆極性の差動信号を生成し、この差動信号に基づいて、例えば、発光素子を駆動する方法がある。
【００１１】
図１１は、図１０の本体部１０１内の回路部に含まれる差動回路を動作させる入力信号の波形を示す。この入力信号Ｓは、正極性の差動信号Ｓ＋と、これとは逆極性の差動信号Ｓ−とからなる。この一対の信号Ｓ＋，Ｓ−により動作する回路部は、例えば、差動信号Ｓ＋と差動信号Ｓ−の差信号による出力信号を発生し、この出力信号によって発光素子２０２が駆動される。
【００１２】
入力信号Ｓは、信号成分のみで、外来等によるノイズは混入していないことが理想であるが、図１１のように、ノイズＳＮが差動信号Ｓ＋，Ｓ−に乗る場合がある。この場合、差動信号Ｓ＋，Ｓ−により動作する差動回路において、同相のノイズＳＮが打ち消され、ノイズＳＮが差動回路の出力端子に現れないようにすることができる。これが、互いに逆位相になっている一対の差動信号Ｓ＋，Ｓ−を用いる理由である。
【００１３】
図１２は、光モジュール２００および回路基板における差動信号Ｓ＋，Ｓ−の流れを示す説明図である。ここでは、隣接する２本のリード２０１Ａ（−），２０１Ｂ（＋）が、差動信号Ｓ＋，Ｓ−を入力するためのリードであるとする。そして、光モジュール２００は、図１２の（ｂ）に示すように、配線パターン２１１Ａ，２１１Ｂを有する回路基板２１０に実装されているとする。
【００１４】
差動信号用のリード２０１Ａ（−），２０１Ｂ（＋）は、一端が駆動ＩＣ２０３上の差動信号入力端子（＋），（−）に接続され、他端が回路基板２１０上の配線パターン２１１Ａ，２１１Ｂに接続されている。差動信号Ｓ＋，Ｓ−が配線パターン２１１Ａ，２１１Ｂに印加された場合、配線パターン２１１Ａ，２１１Ｂおよびリード２０１Ａ（−），２０１Ｂ（＋）には、図１２の（ａ）〜（ｃ）の矢印で示す方向に、＋側電流および−側電流が流れる。
【特許文献１】特開２００２−３４４０２４号公報
【特許文献２】特開２００２−１５１７０４号公報
【発明の開示】
【発明が解決しようとする課題】
【００１５】
しかし、従来の光モジュールによると、図１０に示すリード構造の光モジュール２００では、図１２の（ｂ），（ｃ）に示すように、封止部材２０５から露出した部分では、差動信号用の一対のリード２０１Ａ（−），２０１Ｂ（＋）の伝送経路に相違する部分が生じる。このため、ノイズＳＮの相殺効果が減少し、位相ずれが生じ、ギガビット以上の高周波で信号品質やノイズ特性が悪化するという問題がある。なお、同様の問題は、発光素子２０２が受光素子で、駆動ＩＣ２０３が信号処理ＩＣの構成による光モジュールにおいても発生する。
【００１６】
従って、本発明の目的は、差動信号に対する伝送特性に優れ、高速の信号伝送が可能で、かつ小型化が可能な光モジュールおよび光伝送装置を提供することにある。
【課題を解決するための手段】
【００１７】
本発明の第１の態様は、上記目的を達成するため、光信号を発光あるいは受光する受発光面を有する光半導体、および前記光半導体に接続され、回路基板との間で一対の差動信号を送受信する回路部を有する本体部と、前記本体部から導出され、前記回路基板に一部が実装され、前記受発光面側の第１列および前記受発光面と反対側の第２列に配置された複数のリードとを備え、前記複数のリードは、前記一対の差動信号を伝送する一対の差動信号用リードを有し、前記一対の差動信号用リードは、前記第１列又は前記第２列に隣接して配置され、かつ、前記回路基板に実装される実装部と、前記回路基板に実装されない非実装部とを含み、前記非実装部のピッチが、前記実装部のピッチよりも狭いことを特徴とする光モジュールを提供する。
【００１８】
上記光モジュールによれば、一対の差動信号用リードを隣接して平行に配置することにより、リードおよび回路基板上の配線パターンを含む差動信号の理想的な信号経路を形成することができる。
【００１９】
前記複数のリードは、千鳥状に配置されていてもよい。
【００２０】
前記複数のリードは、一部のリードが折曲形成されることにより前記第１列および前記第２列に配列される構成とすることができる。これにより、安定した実装を行うことができる。
【００２２】
前記複数のリードは、前記一対の差動信号用リード間に対応する、該一対の差動信号用リードを含む列とは異なる列のリード配置部分が間欠している配置とすることができる。
【００２３】
前記複数のリードは、互いに逆方向に折曲形成されることにより前記第１列および前記第２列に配列されている構成にすることができる。これにより、安定した実装を行うことができる。
【００２４】
前記光半導体および前記回路部は、前記本体部に設けられ、前記複数のリードのうちアース用リードに電気的に接続されたリードフレーム上に搭載され、前記リードフレームは、前記本体部の前記受発光面が位置する表面側または裏面側に前記光半導体および前記回路部をシールドする第２のリードフレームが延在して配置されている構成とすることができる。これにより、ＥＭＣ性能を向上させることができる。
【００２５】
前記第２のリードフレームは、前記光半導体を搭載した前記リードフレームに連結されている構成にすることができる。
【００２６】
本発明の第２の態様は、上記目的を達成するため、一対の差動信号が印加される一対の差動信号用導電パターンを有する回路基板と、光信号を発光あるいは受光する受発光面を有する光半導体、および前記光半導体に接続され、前記回路基板との間で一対の差動信号を送受信する回路部を有する本体部と、前記本体部から導出され、前記回路基板に一部が実装され、前記受発光面側の第１列および前記受発光面と反対側の第２列に配置された複数のリードとを有する光モジュールとを備え、前記複数のリードは、前記一対の差動信号を伝送する一対の差動信号用リードを有し、前記一対の差動信号用リードは、前記第１列又は前記第２列に隣接して配置され、かつ、前記回路基板に実装される実装部と、前記回路基板に実装されない非実装部とを含み、前記非実装部のピッチが、前記実装部のピッチよりも狭いことを特徴とする光伝送装置を提供する。
【００２７】
上記光伝送装置によれば、光モジュールが、一対の差動信号用リードを隣接して平行に配置することにより、リードおよび回路基板上の配線パターンを含む差動信号の理想的な信号経路を形成することができる。
【００２８】
前記複数のリードは、前記回路基板に貫通実装された構成とすることができる。これにより、実装が容易となる。
【００２９】
前記複数のリードは、前記回路基板の厚み相当の間隔を有して前記第１列および前記第２列に配列され、前記回路基板に表面実装された構成とすることができる。これにより、薄型化を図ることができる。
【発明の効果】
【００３０】
本発明によれば、差動信号に対する伝送特性に優れ、高速の信号伝送が可能で、かつ小型化が可能となる。
【発明を実施するための最良の形態】
【００３１】
［第１の実施の形態］
図１は、本発明の第１の実施の形態に係る光モジュールおよびこれを用いた光伝送装置を示し、図２は、光伝送装置の底面図を示す。
【００３２】
（光伝送装置の構成）
この光伝送装置１は、光ファイバ３０を介して光信号を送信する光モジュール１０と、この光モジュール１０を搭載した回路基板２０とを備える。
【００３３】
光モジュール１０は、所定の形状を有するリードフレーム１１と、折曲形成されて前列（第１列）に配列された複数のリード１２Ａと、後列（第２列）に配列された複数のリード１２Ｂと、リードフレーム１１に搭載された光半導体としての発光素子１３と、リードフレーム１１に搭載された回路部としての駆動ＩＣ１４と、発光素子１３の光出射面にレンズ１５ａが形成されるように発光素子１３および駆動ＩＣ１４の搭載部のリードフレーム１１を封止した透明樹脂からなる第１の封止部材１５と、レンズ１５ａの前方に空間１６ａが形成されているとともに光ファイバ３０の端部が挿入される挿入口１６ｂを有するようにして第１の封止部材１５を封止した第２の封止部材１６とを備える。
【００３４】
前列のリード１２Ａは、図２に示すように、リード１２Ａａ，１２Ａｂの２つからなり、後列のリード１２Ｂは、図２に示すように、リード１２Ｂａ〜１２Ｂｄの４つからなる。例えば、前列のリード１２Ａａ，１２Ａｂは、ともにグランド用であり、リードフレーム１１に接続されている。さらに、後列のリード１２Ｂａは、電源供給用、後列のリード１２Ｂｂ，１２Ｂｃは、差動信号Ｓ＋，Ｓ−入力用、後列のリード１２Ｂｄは、制御信号用である。後列のリード１２Ｂａ〜１２Ｂｄは、ボンディングワイヤ１８ａにより駆動ＩＣ１４の端子に接続されている。また、駆動ＩＣ４と発光素子１３、駆動ＩＣ４とリードフレーム１１とはそれぞれボンディングワイヤ１８ｂ，１８ｃにより接続されている。
【００３５】
図２から明らかなように、各リード１２は、千鳥状に配置されているが、後列の差動信号用のリード１２Ｂｂとリード１２Ｂｃの間のみ、前列のリード１２Ａの１つが欠落している。このため、リードのピッチを狭められる交互配列でありながら、差動信号用のリード１２Ｂｂ，１２Ｂｃは、図２に示すように、後列上に隣接する。欠落した部分は、距離が開くため、差動信号対のインピーダンス制御が難しくなる場合があるが、本実施の形態では、差動信号用のリード１２Ｂｂ，１２Ｂｃは、回路基板２０への非実装部のピッチ（間隔）は、回路基板２０への実装部のピッチ（間隔）よりも狭くすることで制御している。回路基板２０に実装される部分は距離が開いたままとなるが、この部分は、回路基板２０側のスルーホールなどでインピーダンスが規定される部分である。従って、本実施の形態の構造によって光モジュール１０および光伝送装置１の特性が悪化することはない。
【００３６】
回路基板２０は、図２に示すように、差動信号用配線パターン２０ａ，２０ｂ、電源用配線パターン２０ｃ、グランド用配線パターン２０ｄ，２０ｄ’、および制御信号用配線パターン２０ｅを有する。
【００３７】
差動信号用配線パターン２０ａ，２０ｂには、光モジュール１０の後列のリード１２Ｂのうち、中間の２つのリード１２Ｂｂ，１２Ｂｃが接続されている。そして、差動信号用配線パターン２０ａ，２０ｂは、互いに隣接し、かつ、平行なパターン配置になっている。また、電源用配線パターン２０ｃは後列のリード１２Ｂａに接続され、グランド用配線パターン２０ｄ，２０ｄ’は前列のリード１２Ａａ，１２Ａｂに接続されている。さらに、制御信号用配線パターン２０ｅは、後列のリード１２Ｂｄに接続されている。なお、配線パターン２０ａ〜２０ｄは、リード側端にリード１２Ａ，１２Ｂが貫通実装されるスルーホールが形成されている。
【００３８】
光ファイバ３０は、ケーブル状を成し、光信号を伝送するコア３０ａと、このコア３０ａの屈折率よりも低い屈折率を有して、コア３０ａを被覆するクラッド３０ｂとを備えている。
【００３９】
（光伝送装置の動作）
図３は、光伝送装置１の動作時の差動電流の流れを示す。まず、電源用配線パターン２０ｃとグランド用配線パターン２０ｄ，２０ｄ’との間に所定の直流電圧を印加する。次に、図１１に示した波形の差動信号Ｓ＋，Ｓ−をリード１２Ｂｃ，１２Ｂｂに印加する。この信号印加により、図３の（ａ），（ｂ）に示す矢印方向に電流が流れ、駆動ＩＣ１４が動作を開始する。駆動ＩＣ１４が動作することにより、発光素子１３は図１１に示した波形により発光する。発光素子１３の光は、レンズ１５ａによって光ファイバ３０の端部に集光し、コア３０ａ内を伝送して行く。
【００４０】
（第１の実施の形態の効果）
第１の実施の形態によれば、下記の効果を奏する。
（イ）封止部材１５内はもとより、差動信号用のリード１２Ｂｂ，１２Ｂｃ、および回路基板２０上の配線パターン２０ａ，２０ｂを含む差動信号の一対の信号経路が隣接して平行に配置されることになり、ノイズＳＮの相殺効果は損なわれず、位相ずれが防止され、ギガビット以上の高周波における信号品質やノイズ特性を良好にすることができる。
（ロ）従来構成に比べ、光モジュール１０のリード１２の配置の変更のみであるため、低コストなリードフレームを用いての小型化が可能であるとともに、コストアップを防止することができ、理想的な差動信号伝送を行うことができる。
（ハ）リード１２Ａ，１２Ｂが複数列であり、両者が交互に曲げ加工されていることにより、リードを最も詰めた状態で実装することができる。
（ニ）差動信号用のリード１２Ｂｂ，１２Ｂｃ間では、リードがリードフレーム面上で欠落した状態になるため、回路部（駆動ＩＣ１４）まで理想的な差動信号の状態を保持でき、高速伝送の向上を図ることができる。
（ホ）差動信号用のリード１２Ｂｂ，１２Ｂｃが、回路基板２０に実装しない部分の距離を狭めているため、実装に悪影響を与えずにインピーダンス制御を容易に行うことができる。
（ヘ）差動信号用のリード１２Ｂｂ，１２Ｂｃの露出部分を平板にし、かつ平行な配置としたことにより、高速特性の向上を図る上で重要な差動信号用リードを最短にすることができる。
【００４１】
［第２の実施の形態］
図４は、本発明の第２の実施の形態に係る光モジュールを示す。同図中、（ａ）は正面図、（ｂ）は底面図である。なお、図４では第２の封止部材１６の図示を省略している。
【００４２】
本実施の形態は、第１の実施の形態において、光モジュール１０のリード１２Ｂｂ，１２Ｂｃの中間からリード１２Ａｃを引き出し、これを前列のリード１２Ａａとリード１２Ａｂの間に配設したものである。リード１２Ａｃは、例えば、リードフレーム１１に接続されている。
【００４３】
この第２の実施の形態によれば、差動信号用のリード１２Ｂｂ，１２Ｂｃの間にリード１２Ａｃが入ってしまうが、封止部材１５，１６の外では理想的な差動対を形成できる。差動信号用のリード１２Ｂｂ，１２Ｂｃへの影響は、封止部材１５，１６の外の方が大きいため、第１の実施の形態と同様の効果が得ることができる。
【００４４】
［第３の実施の形態］
図５は、本発明の第３の実施の形態に係る光モジュールを示す。同図中、（ａ）は正面図、（ｂ）は回路基板に実装した状態の側面断面図、（ｃ）は底面図である。同図では、第２の封止部材１６の図示を省略している。本実施の形態は、第１の実施の形態において、後列のリード１２Ｂａ〜１２Ｂｄを図５の（ｂ）のように、後方に折曲し、前列のリード１２Ａとの間の間隔が広がるようにしたものであり、その他の構成は第１の実施の形態と同様である。
【００４５】
この第３の実施の形態によれば、第１の実施の形態に比べ、差動信号用のリード１２Ｂｂ，１２Ｂｃが若干長くなるものの、第１の実施の形態と同様の効果が得られるほか、実装時の安定性の向上を図ることができる。なお、後列のリード１２Ｂａ〜１２Ｂｄのうち差動信号用のリード１２Ｂｂ，１２Ｂｃのみ、リード１２Ｂａ，１２Ｂｄのみを後方に折曲してもよい。
【００４６】
［第４の実施の形態］
図６は、本発明の第４の実施の形態に係る光モジュールを示す。同図中、（ａ）は斜視図、（ｂ）は側面断面図、（ｃ）は底面図である。同図では、第２の封止部材１６の図示を省略している。本実施の形態は、図４に示した第２の実施の形態において、前列のリード１２Ａａ〜１２Ａｃにグランド領域などからなる第２のリードフレーム１７を設けたものであり、その他の構成は第２の実施の形態と同様である。
【００４７】
第２のリードフレーム１７は、図６の（ａ）に示すように、その上部がリードフレーム１１の上部に連結された状態で光出射面を覆うように設けられている。さらに、リードフレーム１７は、レンズ１５ａに面した部分に開口１７ｄが形成され、発光素子１３からの光の出射を妨げないようにしている。また、リードフレーム１７の下端には、図６の（ｂ），（ｃ）に示すように、前列のリード１２Ａａ〜１２Ａｃに重なるようにして、リード１７ａ〜１７ｃが形成され、グランドレベルにしている。
【００４８】
この第４の実施の形態によれば、第２のリードフレーム１７とリードフレーム１１により、駆動ＩＣ１４および発光素子１３を前後面からシールドできるため、第１乃至第３の実施の形態に比べ、ノイズ特性を向上させることができる。また、放熱部材として機能させることもできる。
【００４９】
［第５の実施の形態］
図７は、本発明の第５の実施の形態に係る光モジュールを示す。同図では、第２の封止部材１６の図示を省略している。本実施の形態は、第４の実施の形態において、第２のリードフレーム１７をリードフレーム１１の裏面に設けたものであり、その他の構成は第４の実施の形態と同様である。
【００５０】
この第５の実施の形態によれば、第４の実施の形態と同様に、第２のリードフレーム１７を第３の列にすることができるため、この光モジュール１０を回路基板に貫通実装した際に安定に直立させることができる。また、放熱性、シールド性を高めることができる。
【００５１】
［第６の実施の形態］
図８は、本発明の第６の実施の形態に係る光伝送装置を示す。同図では、第２の封止部材１６の図示を省略している。本実施の形態は、第１の実施の形態において、回路基板２０の表面に表面実装できるように、回路基板２０を挟持する状態でリード１２Ａ，１２Ｂを配線パターンに接続する構成にしたものであり、その他の構成は、第１の実施の形態と同様である。
【００５２】
この第６の実施の形態によれば、第１の実施の形態と同様の効果が得られるとともに、薄型化を図ることができる。
【００５３】
［他の実施の形態］
なお、本発明は、上記各実施の形態に限定されず、本発明の要旨を変更しない範囲内で種々な変形が可能である。また、本発明の要旨を変更しない範囲内で各実施の形態の構成要素を任意に組み合わせることができる。
【００５４】
上記各実施の形態においては、光モジュール１０が光半導体として発光素子１３を用いた構成を示したが、受光素子により光モジュール１０を構成することもできる。この場合、駆動ＩＣ１４に代えて、増幅回路等による回路部を用いることになる。
【００５５】
上記各実施の形態では、光半導体（発光素子１３または受光素子）と回路部（駆動ＩＣ１４または増幅回路）は、リードフレーム１１上の別々の場所に設ける構成としたが、回路部上に光半導体を実装する構成や、光半導体と回路部を一体とする構成であってもよい。
【００５６】
また、光モジュール内に発光部と受光部が混在する構成や、回路基板上に受信用の光モジュールと送信用の光モジュールとを実装した構成であってもよい。
【図面の簡単な説明】
【００５７】
【図１】本発明の第１の実施の形態に係る光モジュールおよびこれを用いた光伝送装置を示す正面断面図である。
【図２】第１の実施の形態の光伝送装置の底面図である。
【図３】第１の実施の形態の光伝送装置の動作を示し、（ａ）は光モジュールの通電、（ｂ）はおよび（ｃ）は回路基板の配線パターンにおける通電を示す説明図である。
【図４】本発明の第２の実施の形態に係る光モジュールを示し、（ａ）は正面図、（ｂ）は底面図である。
【図５】本発明の第３の実施の形態に係る光モジュールを示し、（ａ）は正面図、（ｂ）は回路基板に実装した状態の側面断面図、（ｃ）は底面図である。
【図６】本発明の第４の実施の形態に係る光モジュールを示し、（ａ）は斜視図、（ｂ）は側面断面図、（ｃ）は底面図である。
【図７】本発明の第５の実施の形態に係る光モジュールを示す側面断面図である。
【図８】本発明の第６の実施の形態に係る光伝送装置を示す側面断面図である。
【図９】従来の光モジュールの構成を示し、（ａ）は正面図、（ｂ）は側面図、（ｃ）は底面図である。
【図１０】従来の光モジュールの他の構成を示し、（ａ）は正面図、（ｂ）は側面図、（ｃ）は底面図である。
【図１１】図１０の本体部内の駆動回路に含む差動回路を動作させる入力信号の波形を示す波形図である。
【図１２】図１０の光モジュールおよび回路基板における一対の差動電流の流れを示し、（ａ）は光モジュール内の流れ、（ｂ）および（ｃ）は回路基板の配線パターンにおける差動電流の流れを示す説明図である。
【符号の説明】
【００５８】
１  光伝送装置
１０  光モジュール
１１  リードフレーム
１２Ａ  前列（第１列）のリード
１２Ｂ  後列（第２列）のリード
１２Ａａ〜１２Ａｃ  前列のリード
１２Ｂａ〜１２Ｂｄ  後列のリード
１３  発光素子
１４  駆動ＩＣ
１５  第１の封止部材
１５ａ  レンズ
１６  第２の封止部材
１６ａ  空間
１６ｂ  挿入口
１７  リードフレーム
１７ａ〜１７ｃ  リード
１７ｄ  開口
１８  ボンディングワイヤ
２０  回路基板
２０ａ，２０ｂ  差動信号用配線パターン
２０ｃ  電源用配線パターン
２０ｄ，２０ｄ’  グランド用配線パターン
２０ｅ  制御信号用配線パターン
３０  光ファイバ
３０ａ  コア
３０ｂ  クラッド
１００  光モジュール
１０１  本体部
１０２  リード
１０３  スルーホール
２００  光モジュール
２０１Ａ，２０１Ｂ  リード
２０１Ａ（−），２０１Ｂ（＋）差動信号用のリード
２０２  発光素子
２０４  リードフレーム
２０５  封止部材
２０６  ボンディングワイヤ
２１０  回路基板
２１１Ａ，２１１Ｂ  配線パターン
２０３  駆動ＩＣ
ｄ  直径
ｐ  リードピッチ
Ｓ＋，Ｓ−  差動信号
ＳＮ  ノイズ
【図１】
0004810900.tif 000002
【図２】
0004810900.tif 000003
【図３】
0004810900.tif 000004
【図４】
0004810900.tif 000005
【図５】
0004810900.tif 000006
【図６】
0004810900.tif 000007
【図７】
0004810900.tif 000008
【図８】
0004810900.tif 000009
【図９】
0004810900.tif 000010
【図１０】
0004810900.tif 000011
【図１１】
0004810900.tif 000012
【図１２】
0004810900.tif 000013